(57)【要約】【課題】エラーが発生したときにおける遊技者の苛立ちを緩和することが可能な遊技機を提供すること。【解決手段】エラーの発生を報知する報知手段（例えば、表示装置９１）を備える遊技機であって、前記報知手段によってエラーの発生が報知されたときに、それと併せて特典（例えば、携帯端末Ｓ等を介して取得できる特典画像や特典映像）が付与される場合がある遊技機１とする。特典を付与されるため、エラーが発生したことによる遊技者の苛立ちを緩和することが可能である。【選択図】図２
2018033768.tif 000002
【特許請求の範囲】
【請求項１】
エラーの発生を報知する報知手段を備える遊技機であって、
前記報知手段によってエラーの発生が報知されたときに、それと併せて特典が付与される場合があることを特徴とする遊技機。
【請求項２】
前記報知手段によってエラーの発生が報知されているときに付与される前記特典は、正常状態であるときに付与されることがないものであることを特徴とする請求項１に記載の遊技機。
【請求項３】
前記報知手段は表示装置であり、
エラーが発生したとき、その事実を示す表示と、前記特典を示す表示とを含むエラー表示が前記表示装置に表示されることを特徴とする請求項１または請求項２に記載の遊技機。
【請求項４】
前記特典は、遊技者が所持する携帯端末を介して付与されるものであることを特徴とする請求項１から請求項３のいずれか一項に記載の遊技機。
【発明の詳細な説明】
【技術分野】
【０００１】
本発明は、遊技機に関する。
【背景技術】
【０００２】
ぱちんこ遊技機や回動式遊技機等の遊技機では、遊技が続行できないような異常が発生したときにエラー報知がなされる（例えば、下記特許文献１参照）。
【先行技術文献】
【特許文献】
【０００３】
【特許文献１】特開２０１６−１３１７８６号公報
【発明の概要】
【発明が解決しようとする課題】
【０００４】
エラー報知が発生して遊技が続行できない状態となることで、遊技者が苛立ってしまうこともある。
【０００５】
本発明の目的は、エラーが発生したときにおける遊技者の苛立ちを緩和することが可能な遊技機を提供することである。
【課題を解決するための手段】
【０００６】
上記課題を解決するためになされた本発明にかかる遊技機は、エラーの発生を報知する報知手段を備える遊技機であって、前記報知手段によってエラーの発生が報知されたときに、それと併せて特典が付与される場合があることを特徴とする。
【０００７】
上記本発明によれば、エラーの発生が報知されたとき、それと併せて特典が付与されるから、エラーが発生したことによる遊技者の苛立ちを緩和することが可能である。
【０００８】
前記報知手段によってエラーの発生が報知されているときに付与される前記特典は、正常状態であるときに付与されることがないものであるとよい。
【０００９】
このように、エラー発生時に付与されることがある特典が、正常状態時に付与されることがないものであれば、エラー発生時に付与される特典が貴重なものとなるため、遊技者の苛立ちを緩和する効果をさらに高めることが可能となる。
【００１０】
前記報知手段は表示装置であり、エラーが発生したとき、その事実を示す表示と、前記特典を示す表示とを含むエラー表示が前記表示装置に表示されるようにするとよい。
【００１１】
このように、エラー表示と特典を示す表示が一度に表示されるようにすることで、遊技者が特典を見逃してしまうおそれを低減することが可能である。
【００１２】
前記特典は、遊技者が所持する携帯端末を介して付与されるものであるとよい。
【００１３】
このように、特典としては、携帯端末を介して付与されるものが例示できる。
【発明の効果】
【００１４】
本発明にかかる遊技機によれば、エラーが発生したときにおける遊技者の苛立ちを緩和することが可能である。
【図面の簡単な説明】
【００１５】
【図１】本実施形態にかかる遊技機の正面図である。
【図２】エラー表示および特典を示す表示が表示された状態を示した図（ａ）および携帯端末を介して特典画像を得る流れを示した図（ｂ）である。
【図３】エラー表示と付与される特典画像の関係を示した表である。
【発明を実施するための形態】
【００１６】
以下、本発明にかかる遊技機１の一実施形態について図面を参照して詳細に説明する。まず、図１を参照して遊技機１の全体構成について簡単に説明する。
【００１７】
遊技機１は遊技盤９０を備える。遊技盤９０は、ほぼ正方形の合板により成形されており、発射装置９０８（発射ハンドル）の操作によって発射された遊技球を遊技領域９０２に案内する通路を構成するガイドレール９０３が略円弧形状となるように設けられている。
【００１８】
遊技領域９０２には、始動入賞口９０４、大入賞口９０６、アウト口９０７などが設けられている。表示装置９１の表示領域９１１は、遊技盤９０に形成された開口９０１を通じて視認可能となる領域である。なお、図２（ａ）には、表示領域９１１を大まかに記載するが、その形状等は適宜変更可能である（開口９０１の形状や大きさ、表示装置９１自体の形状や大きさを変更することで表示領域９１１の形状等を変更することができる）。
【００１９】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００２０】
このような遊技機１では、発射装置９０８を操作することにより遊技領域９０２に向けて遊技球を発射する。遊技領域９０２を流下する遊技球が、始動入賞口９０４や大入賞口９０６等の入賞口に入賞すると、所定の数の賞球が払出装置により払い出される。
【００２１】
大当たりの抽選（当否判定）は、図示されない制御基板に設けられた当否判定手段が始動入賞口９０４への遊技球の入賞を契機として実行する（このような始動入賞口が複数設けられていてもよい）。具体的には、始動入賞口９０４への遊技球の入賞を契機として乱数源から数値が取得され、当該数値が予め定められた大当たりの数値と同じである場合には大当たりとなり、異なる場合にははずれとなる。大当たりに当選した場合には大当たり遊技が実行される。大当たり遊技は、大入賞口９０６が頻繁に開放状態となり、遊技者が多くの遊技球（いわゆる出玉）を獲得することができるものであって、公知の遊技機と同様であるため詳細な説明を省略する。獲得できる遊技球の期待値が異なる複数種の大当たり遊技が設定されていてもよい。本実施形態では、表示装置９１の表示領域９１１に表示される識別図柄（図示せず）の組み合わせによって当否判定結果が遊技者に報知される。
【００２２】
なお、遊技機１の枠体、遊技球を貯留する下皿や上皿など、本発明に関係のない遊技機１の構成要素は説明を省略する。これらについては公知の遊技機と同様の構造のものが適用できる。
【００２３】
本実施形態にかかる遊技機１には、異常等が発生したとき、それを遊技者に対して報知する機能が搭載されている。具体的には、遊技者が遊技を継続することができない状態（遊技を継続することが困難な状態を含む。以下、かかる状態となることをエラー（状態）と称することもある）を示すものであればどのようなものであってもよい。なお、当該エラーは、何らかの異常が発生することを原因とするものに限られない。当該エラー（遊技を継続することができない状態）の具体例としては、電源復旧時における動作確認中（いわゆる可動役物等の動作確認中）であることの報知、遊技機内に貯留されている遊技球がなくなったこと（球切れ）の報知、遊技領域を開閉する扉が開放していることの報知等、種々考えられる。本実施形態では、遊技機が設置されている遊技店の店員を呼ぶことが必要なエラーに限定されている。
【００２４】
ただし、異常磁気や異常振動等、不正が行われている可能性が発生したことの報知に関するものは除かれていることが好ましい。また、遊技機にとってあまり好ましくない状態の発生を報知するものであるが、遊技者の行為によって当該状態を解消することができるものである場合、かかる状態の発生の報知（例えば、遊技球を貯留する空間（下皿等）が遊技球で満たされている状態であることの報知）に関するものは除かれていることが好ましい。後述するように、本実施形態にかかる遊技機１は、所定のエラーが発生することを契機として遊技者に特典が付与される構成であるところ、不正行為の発生を契機として特典が付与されることとすると、不正行為の発生を助長してしまうおそれがあるからである。また、遊技者の行為によって解消し得るあまり好ましくない状態の発生を契機として特典が付与されることとすると、遊技者が当該状態が解消されるような行動をとらないおそれがあるからである。
【００２５】
このようなエラー状態が発生した場合、表示装置９１の表示領域９１１にはエラー表示１２が表示される（図２（ａ）参照）。つまり、表示装置９１がエラーの発生を報知する報知手段として機能する。エラー表示１２は、エラーが発生した事実を示す文字等を含む。当該文字等は、エラーが発生したということを遊技者が認識することができればよく、遊技者がそのエラーの具体的内容を把握することができるか否かは問わない。例えば、「エラー○○（○○は数字等によって表されるコード）」とし、遊技店側のみがエラーの具体的内容を把握することができる表示であってもよい。エラー状態を解消するために遊技店の店員を呼ぶことが必要であれば、「係員をお呼び下さい」といった表示が別途なされる。以下では、本実施形態にかかる遊技機１が表示可能なエラー表示１２（エラーの態様）として、エラー表示Ａ、エラー表示Ｂ、エラー表示Ｃの三つが設定されているものとする（図３参照）。
【００２６】
本実施形態では、各エラー表示１２には、遊技者に対して付与される特典を示す表示１１が含まれる（以下、当該表示を特典表示と称することもある）（図２（ａ）参照）。本実施形態における「特典」は、遊技者が所持する携帯端末Ｓ（スマートフォン等）を介して付与されるものである。例えば、所定の会員専用サイトのパスワード入力画面に所定のパスワードを入力することで、特典画像１０のデータが得られる構成である場合には、所定の特典画像１０を得ることに繋がるパスワードが特典表示として表示される（図２（ｂ）参照）。携帯端末Ｓのカメラ等によって読み取ることができるコード等が表示される構成としてもよい。このように、特典を示す表示１１は、特典を得ることが可能な手段を示すもの（特典に間接的に繋がるもの）であってもよいが、特典そのものであってもよい。例えば、特典画像１０が表示領域９１１に直接表示される構成としてもよい。また、特典は、本実施形態のようにいわゆる出玉等に直接的、間接的に繋がるもの（遊技によって得られる利益に繋がるもの）でなくてもよいし、出玉等に直接的、間接的に繋がるものであってもよい。いわゆる出玉等に繋がる特典としては、より多くの出玉を得ることができる蓋然性が高まる有利な遊技手法（の説明）等が例示できる。
【００２７】
本実施形態では、エラー表示Ａ、エラー表示Ｂ、エラー表示Ｃのそれぞれについて、特典画像１０に繋がるパスワードが表示される。具体的には、エラー表示Ａについては特典画像Ａが付与されるパスワードが、エラー表示Ｂについては特典画像Ｂが付与されるパスワードが、エラー表示Ｃについては特典画像Ｃが付与されるパスワードが表示される（図３参照）。パスワードは固定であってもよいし、その都度変化し得るものであってもよい。
【００２８】
各特典画像Ａ〜Ｃの具体的な内容はどのようなものであってもよいが、本実施形態では、特典画像Ａ〜Ｃは、遊技可能な状態（正常状態）にあるときに付与されるものではない。具体的には、本実施形態では、遊技可能な状態であっても、所定の特典画像１０を得ることが可能である。例えば、遊技機に設けられた操作手段等を操作することや、遊技中に所定の条件を満たすことによって特典画像１０に繋がるパスワードが表示されるような構成とする。そして、このような遊技可能な状態中に得られる一または複数種の特典画像１０のいずれもが、上記特典画像Ａ〜Ｃと異なるように設定されている。つまり、エラー表示１２が表示されることにより得られる特典画像Ａ〜Ｃは、通常の遊技状態中は得ることができない貴重な画像として設定されている。
【００２９】
なお、本実施形態では、エラー表示Ａ〜Ｃのそれぞれに対応する特典画像１０として特典画像Ａ〜Ｃが設定されている（エラー表示１２と特典画像１０の対応関係が決まっている）が、エラー表示１２と特典画像１０の対応関係が変化し得るものであってもよい。また、一つのエラー表示１２に対し、複数の特典画像１０が対応づけられた構成としてもよい。この場合、同じ特典画像１０が連続的に付与されないようにすることが望ましい。例えばあるエラー表示１２に対して三つの特典画像１０が対応づけられた構成である場合、当該あるエラー表示１２が表示されるときに付与される特典画像１０が、当該あるエラー表示１２が表示される度に順に切り替わっていく設定にするとよい。このように、エラー表示１２と特典画像１０の対応関係が変化し得るものとする場合であっても、エラー表示１２が表示されることによって入手可能となる全ての特典画像１０は、通常の遊技状態中には入手不可能なものであることが望ましい。
【００３０】
以上説明したように、本実施形態にかかる遊技機１では、遊技が続行できない状態であることが報知されるとき、それと併せて特典である特典画像１０が付与されるから、遊技が続行できない状態となったことによる遊技者の苛立ちを緩和することが可能である。
【００３１】
そして、本実施形態における特典画像１０は、遊技可能な状態であるときに付与されることがないものであって貴重なものであるから、遊技者の苛立ちを緩和する効果をさらに高めることが可能となる。
【００３２】
また、本実施形態では、エラー表示１２と特典を示す表示１１（パスワード）が一度に表示されるものであるから、特典が付与されたことを遊技者が見逃してしまうおそれを低減することが可能である。
【００３３】
以上、本発明の実施形態について詳細に説明したが、本発明は上記実施形態に何ら限定されるものではなく、本発明の要旨を逸脱しない範囲で種々の改変が可能である。
【００３４】
上記実施形態にかかる遊技機１は、いわゆるぱちんこ遊技機であるが、回動式遊技機（スロットマシン）等、他の遊技機に対しても同様の技術思想が適用可能である。
【００３５】
また、エラーの具体的態様を区分けした上で、各エラーと特典の内容を対応づけた構成としてもよい。例えば、遊技の展開に応じて不可避的に発生してしまうことがあるエラー（以下、不可避的エラーと称する）と、不具合等により発生するエラー（以下、不具合エラーと称する）を区別する。不可避的エラーとしては、遊技球やメダルなどの遊技媒体が多く払い出されることによって生じる球・メダル補給エラーが例示できる。不具合エラーとしては、球・メダル詰まり等の発生、不具合解消のための扉開放等が例示できる。そして、不可避的エラーが発生することによって付与される特典と、不具合エラーが発生することによって付与される特典の種類を異なるものとする。例えば、不可避的エラー発生時に付与される特典の希少価値を、不具合エラー発生時に付与される特典のそれよりも高いものとし、遊技の促進を促す（遊技機内に貯留された球・メダルが無くなることを目指して遊技させる）といった手法が考えられる。より具体的には、不具合エラー発生時に付与される特典はエラー非発生時（正常状態時）に獲得することができる可能性がある特典である一方、不可避的エラーが発生したときに付与される特典はエラー非発生時（正常状態時）に獲得することができない特典とする。また、これとは逆に、不具合エラー発生時に付与される特典の希少価値を、不可避的エラー発生時に付与される特典のそれよりも高いものとし、遊技機が正常であれば発生することがない不具合エラーが発生したときの遊技者の苛立ちを抑制する効果を高めるといった手法が考えられる。
【００３６】
上記実施形態では、特典として、いわゆる出玉等に繋がるものではない特典画像１０が付与されることを説明したが、それはあくまで一例である。音楽や映像等どのようなものであってもよい。また、例えば、遊技機の演出態様等を所望の演出態様に設定することができるカスタマイズ機能を搭載している遊技機であれば、当該カスタマイズ機能が実行可能となる、カスタマイズできる内容等が新たに付加される、といったことが特典として付与される構成としてもよい。
【００３７】
上記実施形態では、エラーが発生したことがエラー表示１２によって遊技者に報知されること、すなわち表示装置９１がエラーの発生を報知する報知手段として機能することを説明したが、エラーの報知態様は「表示」に限られない。スピーカ９２を介して出力される音声によってエラーが報知される構成、すなわちスピーカ９２がエラーの発生を報知する報知手段として機能する構成であってもよい。この場合、音声によるエラー報知とともに、表示装置９１の表示領域９１１に特典（特典に繋がるパスワード等）が表示される構成とする。
【００３８】
上記実施形態では、表示装置９１の表示領域９１１に特典（特典に繋がるパスワード等の手段）が表示される構成であることを説明したが、特典は「表示」されるものに限られない。例えば、特典として、スピーカ９２から出力される音楽が設定された構成としてもよい。つまり、エラーが発生しない限り聴くことができない楽曲が特典として設定された構成としてもよい。
【００３９】
エラーが発生したときに必ず特典が付与される構成でなくてもよい。例えば、遊技機の電源が投入されてから、エラーの発生回数がＸ回に到達した場合には、それ以降のエラーの発生の度に特典が付与される構成とする。電源が投入されてから同じ遊技者が遊技していると仮定し、その遊技者が複数回（Ｘ回）のエラー発生を経験したということになると、遊技者が苛立ってしまうおそれがあるとして、Ｘ回に到達してから特典を付与する構成とする。また、所定の時間（例えば３０分）内に複数回のエラーが発生した場合には、二回目以降のエラー発生時に特典が付与される構成とする。つまり、予め規定された所定時間（短時間）の間に連続的にエラーが発生してしまうと、遊技者が苛立ってしまうおそれがあるとして、当該時間内における二回目以降のエラーの発生時に特典を付与する構成とする。
【００４０】
上記実施形態では、エラーが解消されたことを契機としてエラー表示１２が消去されると、特典を示す表示１１も消去されることになる。エラーが解消されるまでの時間が極めて短いことも考えられるため、エラーが解消された後も所定時間は特典を示す表示１１（特典そのものやパスワード等の特典に繋がる表示）を残存させるように構成してもよい。また、特典を示す表示１１は、表示されてから所定時間が経過するまでの間は必ず表示され続ける構成とし、その間にエラーが解消されても消去されることはないものとしてもよい。このように構成すれば、エラーが解消される時間が極めて短くなることにより、遊技者が特典を獲得するチャンスを逃してしまうおそれを低減することが可能となる。
【符号の説明】
【００４１】
１  遊技機
１０  特典画像
１１  特典を示す表示
１２  エラー表示
Ｓ  携帯端末
９１  表示装置
９１１  表示領域
【図１】
2018033768.tif 000003
【図２】
2018033768.tif 000004
【図３】
2018033768.tif 000005